(57)【要約】【課題】グループ化されたコンテンツデータをより容易に管理すること。【解決手段】データ処理装置としての電子カメラ１０を、被写体を撮影して画像データを作成する撮像部１２、この作成された画像データを記録媒体インタフェース１４を介して記録する記録媒体２６、フラッシュメモリ２４から読み出される制御プログラムを実行しこの電子カメラ１０の各部を制御するＣＰＵ１６、この電子カメラ１０の動作に関する指示を与えるための操作部２０、及び記録媒体インタフェース１４を介して記録媒体２６から読み出された画像データ等を表示する表示部２２から構成する。【選択図】図１
2008108214.tif 000002
【特許請求の範囲】
【請求項１】
複数のコンテンツデータを１つのグループとして管理することが可能なデータ処理装置において、
上記グループにｉｄを付与するｉｄ付与手段と、
少なくとも、上記コンテンツデータと上記グループとの対応情報、及び上記ｉｄを含むグループ管理データを作成するグループ管理データ作成手段と、
を具備することを特徴とするデータ処理装置。
【請求項２】
上記ｉｄは、上記グループのグループ名とは別に作成される唯一無二の識別データを含むことを特徴とする請求項１に記載のデータ処理装置。
【請求項３】
複数のコンテンツデータを１つのグループとして管理することが可能なデータ処理装置から上記グループ単位でコンテンツデータを取得し蓄積することが可能なデータ蓄積装置において、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定結果によって上記データ処理装置からグループの取得及び上記格納手段への格納を制御する制御手段と、
を具備することを特徴とするデータ蓄積装置。
【請求項４】
上記制御手段は、上記判定手段により上記取得しようとするグループと同一のグループが上記格納手段に格納されていると判定された場合には、上記格納手段に格納されているグループの更新処理を行なうように制御することを特徴とする請求項３に記載のデータ蓄積装置。
【請求項５】
上記制御手段は、上記判定手段により上記取得しようとするグループと同一のグループが上記格納手段に格納されていると判定された場合には、上記グループに含まれるコンテンツデータのうち、上記格納手段に格納されていないコンテンツデータのみ上記データ処理装置から取得して上記格納手段に追加格納するとともに、上記格納手段に格納されている上記グループを管理しているグループ管理データに上記追加格納されたコンテンツデータの情報を反映させるように制御することを特徴とする請求項４に記載のデータ蓄積装置。
【請求項６】
上記制御手段は、上記判定手段により上記取得しようとするグループと同一のグループが上記格納手段に格納されていないと判定された場合には、新規のグループとして上記データ処理装置から上記グループを取得し、上記格納手段に格納するように制御することを特徴とする請求項３に記載のデータ蓄積装置。
【請求項７】
複数のコンテンツデータを１つのグループとして管理することが可能なデータ処理装置と、上記データ処理装置から上記グループ単位でコンテンツデータを取得し蓄積することが可能なデータ蓄積装置とを含むデータ処理システムにおいて、
上記データ処理装置は、
上記コンテンツデータと上記グループとの対応情報を含む管理データを作成するグループ管理データ作成手段と、
上記グループにｉｄを付与するｉｄ付与手段とを有し、
上記データ蓄積手段は、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定によって上記データ処理装置からのグループの取得及び上記格納手段への格納を制御する制御手段と、
を有することを特徴とするデータ処理システム。
【請求項８】
コンピュータに、複数のコンテンツデータを１つのグループとして管理させることが可能なデータ処理プログラムにおいて、
上記データ処理プログラムは、コンピュータに、
上記グループごとにｉｄを生成させ、
少なくとも、上記コンテンツデータと上記グループとの対応情報、及び上記ｉｄを含むグループ管理データを作成させることを特徴とするデータ処理プログラム。
【請求項９】
コンピュータに、複数のコンテンツデータを１つのグループとして管理することが可能なデータ処理装置から上記グループ単位でコンテンツデータを取得させ、蓄積させることが可能なデータ蓄積プログラムにおいて、
上記データ蓄積プログラムは、コンピュータに、
上記データ処理装置から取得しようとするグループのｉｄを取得させ、
上記ｉｄと上記コンピュータが管理する格納手段に格納されているグループのｉｄとを比較して、上記データ処理装置から取得しようとするグループと同一のグループが上記格納手段に格納されているか否かを判定させ、
上記判定によって上記データ処理装置からのグループの取得及び上記格納手段への格納を制御させることを特徴とするデータ蓄積プログラム。
【発明の詳細な説明】
【技術分野】
【０００１】
本発明は、画像等のコンテンツデータをグループ化して扱うことが可能なデータ処理装置、データ蓄積装置、及びデータ処理システムと、コンピュータに画像等のコンテンツデータをグループ化して扱わせることが可能なデータ処理プログラム及びデータ蓄積プログラムとに関する。
【背景技術】
【０００２】
一般的に、電子カメラで撮影された画像は、電子カメラに着脱可能に取り付けられる記憶媒体(フラッシュメモリ等)に記録される。この記録媒体は、書き換え可能で繰り返し使用でき、更に、半導体技術の進歩により記録容量が大きくなったため、１つの記録媒体に対して撮影可能な画像枚数は、フィルムカメラにおける撮影可能な画像枚数よりも飛躍的に増加している。また、これらの画像は、パーソナルコンピュータを介し、より大容量のハードディスク、ＣＤ−Ｒ、ＣＤ−ＲＷ、ＤＶＤ等のデータ蓄積装置やデータ蓄積媒体に記録、蓄積されるが、大量の画像の中から、所望の画像の検索や閲覧を行なうのは、困難である。
【０００３】
従来では、パーソナルコンピュータ上で実行される画像管理ソフトを用いて、画像にキーワードやカテゴリ名を関連付けてグループ化を行なっている。また、画像の検索を行なう際には、これらキーワードやカテゴリ名によりグループの絞込みを行い、所望の画像の検索を容易にしている。
【０００４】
更に、例えば、特許文献１では、デジタルカメラで撮影された画像を、このデジタルカメラの簡単な操作で特定のカテゴリ名に対応させ、後のパーソナルコンピュータ上での撮影画像の分類整理を容易にする発明が開示されている。
【特許文献１】特開２０００−３４１６３６号公報
【発明の開示】
【発明が解決しようとする課題】
【０００５】
しかしながら、通常、キーワードやカテゴリ名は、「入学式」、「旅行」、「運動会」など、後に撮影画像を検索する時に分かり易い言葉が使用されることが多い。したがって、このような分かり易い言葉は複数のユーザが重複して使用することが考えられる。複数のユーザが同一のキーワードやカテゴリ名を使用して画像をグループ化し、ハードディスク、ＣＤ−Ｒ、ＣＤ−ＲＷ、ＤＶＤ等のデータ蓄積装置又はデータ蓄積媒体に記録した場合、これらのグループの中には、複数のユーザの撮影画像が含まれることとなり、撮影画像の検索を行なう時、余計な画像（他のユーザの画像）が検索結果として出力されるため、画像の検索効率を落とすという問題がある。
【０００６】
本発明は、上記の点に鑑みてなされたもので、グループ化されたコンテンツデータをより容易に管理できる、データ処理装置、データ蓄積装置、データ処理システム、データ処理プログラム、及びデータ蓄積プログラムを提供することを目的とする。
【課題を解決するための手段】
【０００７】
本発明のデータ処理装置の一態様は、複数のコンテンツデータを１つのグループとして管理することが可能なデータ処理装置において、
上記グループにｉｄを付与するｉｄ付与手段と、
少なくとも、上記コンテンツデータと上記グループとの対応情報、及び上記ｉｄを含むグループ管理データを作成するグループ管理データ作成手段と、
を具備することを特徴とする。
【０００８】
また、本発明のデータ蓄積装置の一態様は、複数のコンテンツデータを１つのグループとして管理することが可能なデータ処理装置から上記グループ単位でコンテンツデータを取得し蓄積することが可能なデータ蓄積装置において、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定結果によって上記データ処理装置からグループの取得及び上記格納手段への格納を制御する制御手段と、
を具備することを特徴とする。
【０００９】
また、本発明のデータ処理システムの一態様は、複数のコンテンツデータを１つのグループとして管理することが可能なデータ処理装置と、上記データ処理装置から上記グループ単位でコンテンツデータを取得し蓄積することが可能なデータ蓄積装置とを含むデータ処理システムにおいて、
上記データ処理装置は、
上記コンテンツデータと上記グループとの対応情報を含む管理データを作成するグループ管理データ作成手段と、
上記グループにｉｄを付与するｉｄ付与手段とを有し、
上記データ蓄積手段は、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定によって上記データ処理装置からのグループの取得及び上記格納手段への格納を制御する制御手段と、
を有することを特徴とする。
【００１０】
また、本発明のデータ処理プログラムの一態様は、コンピュータに、複数のコンテンツデータを１つのグループとして管理させることが可能なデータ処理プログラムにおいて、
上記データ処理プログラムは、コンピュータに、
上記グループごとにｉｄを生成させ、
少なくとも、上記コンテンツデータと上記グループとの対応情報、及び上記ｉｄを含むグループ管理データを作成させることを特徴とする。
【００１１】
また、本発明のデータ蓄積プログラムの一態様は、コンピュータに、複数のコンテンツデータを１つのグループとして管理することが可能なデータ処理装置から上記グループ単位でコンテンツデータを取得させ、蓄積させることが可能なデータ蓄積プログラムにおいて、
上記データ蓄積プログラムは、コンピュータに、
上記データ処理装置から取得しようとするグループのｉｄを取得させ、
上記ｉｄと上記コンピュータが管理する格納手段に格納されているグループのｉｄとを比較して、上記データ処理装置から取得しようとするグループと同一のグループが上記格納手段に格納されているか否かを判定させ、
上記判定によって上記データ処理装置からのグループの取得及び上記格納手段への格納を制御させることを特徴とする。
【発明の効果】
【００１２】
本発明によれば、グループ化されたコンテンツデータをより容易に管理できる、データ処理装置、データ蓄積装置、データ処理システム、データ処理プログラム、及びデータ蓄積プログラムを提供することができる。
【発明を実施するための最良の形態】
【００１３】
以下、本発明を実施するための最良の形態を図面を参照して説明する。
【００１４】
[第１実施形態]
図１は、本発明の第１実施形態に係るデータ処理装置としての電子カメラ１０を概略的に示すブロック図である。
【００１５】
電子カメラ１０は、撮像部１２、記録媒体インタフェース１４、ＣＰＵ１６、通信インタフェース１８、操作部２０、表示部２２、及びフラッシュメモリ２４を有している。
【００１６】
ＣＰＵ１６は、フラッシュメモリ２４に記録されている詳細は後述するデータ処理プログラムを含む制御プログラムを読み出し実行することにより、電子カメラ１０の各部の動作を制御する。撮像部１２は、被写体を撮影して映像信号を生成すると共に、種々の画像処理を行なって、画像データを作成する。この撮像部１２により作成された画像データは、記録媒体インタフェース１４を介して、記録媒体２６に記録される。この記録媒体２６には、電子カメラ１０に着脱自在に取り付け可能なフラッシュメモリや、電子カメラ１０に固定されているハードディスクなどが用いられる。操作部２０は、電子カメラ１０の動作に関する指示を入力するための操作スイッチなどを備えている。表示部２２は、記録媒体インタフェース１４を介し記録媒体２６から読み出された画像データ、あるいはユーザインタフェース画面等を表示する。
【００１７】
通信インタフェース１８は、図示しない外部機器との間で撮影画像等のデータの授受を行なうインタフェースである。情報の送受信に用いられる経路は、ケーブル等による有線通信に限られず、赤外線通信などの無線通信も含まれる。
【００１８】
次に、上記構成の電子カメラ１０の動作を図を参照して説明する。
【００１９】
図２は、電子カメラ１０の記録媒体２６に記録されている画像をグループに分類するデータ処理プログラムのフローチャートを示す図である。また、図３（Ａ）は、記録媒体２６のデータ記録構造を示している。このデータ記録構造は、デジタルカメラ用ファイルシステムであるＤＣＦに準拠している。例えば、図３（Ａ）は、３つの画像データ（Ｐ１０１０００１．ＪＰＧ、Ｐ１０１０００２．ＪＰＧ、Ｐ１０１０００３．ＪＰＧ）が記録されていて、グループは作成されていない状態を示している。
【００２０】
このような状態において、ユーザが操作部２０を操作して、分類しようとする少なくとも一つの画像を選択してグループ分類化を指定すると、ＣＰＵ１６は、まず、当該電子カメラ１０の記録媒体２６にグループ管理データが記録されているかどうかを判断する（ステップＳ１０）。ここで、グループが作成されていない場合、このステップＳ１０をＮＯに分岐して、新規のグループ管理データを作成するための処理に進む。
【００２１】
一方、ステップＳ１０をＹＥＳに進む場合、記録されているグループのリストを表示部２２に表示して、分類先のグループの選択を受け付け、ユーザが既存のグループでは不適当と判断した場合（例えば、分類される画像と既存のグループのカテゴリ名とが整合しない場合など）には、新規のグループを作成することになる。そのようなの場合、ユーザは、電子カメラ１０の表示部２２の画面表示に従い、操作部２０を操作して新規のグループを作成する指示を電子カメラ１０に与える。ＣＰＵ１６は、そのような新規作成指示を受けたか否かを判別する（ステップＳ１２）。
【００２２】
このステップＳ１２をＹＥＳに分岐して、又は上記ステップＳ１０をＮＯに分岐して、新規のグループを作成する場合には、ＣＰＵ１６は、新規のグループに対応するグループ識別子を作成するとともに、ユーザの操作部２０の操作によるグループ名を表す文字列の入力を受けて新規のグループのグループ名を作成する（ステップＳ１４）。なお、グループ名は必ずしも必要ではないが、ユーザの検索性を考慮すると少なくともユーザからの文字列の入力が無かった場合でも、後述するように何らかのグループ名を自動的に作成する方が望ましい。続いて、ＣＰＵ１６は、新規にグループ管理データを作成する（ステップＳ１６）。このグループ管理データには、上述のステップＳ１４で作成された、新規のグループのためのグループ識別子とグループ名とが記述される。そして、ＣＰＵ１６は、記録媒体インタフェース１４を介して、記録媒体２６に、その作成したグループ管理データを記録する（ステップＳ１８）。図３（Ｂ）は、この結果、新規のグループ管理データ（ＧＲＰ０００１．ＸＭＬ）が記録された記録媒体２６のデータ記録構造を示している。
【００２３】
図４（Ａ）は、上記グループ管理データ（ＧＲＰ０００１．ＸＭＬ）の内容を示す図である。なお、グループ管理データは、この実施形態では、ＸＭＬ（ｅＸｔｅｎｓｉｂｌｅ  Ｍａｒｋｕｐ  Ｌａｎｇｕａｇｅ）で記述されているが、ＸＭＬに限定されず他の言語を用いて記述されていてもよい。  
なお、本実施形態では、ＤＣＦに準拠したデータ記録構造としているが、必ずしもＤＣＦに準拠する必要はない。
【００２４】
上記ステップＳ１４で作成されるグループ識別子は、図４（Ａ）の例では、ＩＥＴＦ（Ｉｎｔｅｒｎｅｔ  Ｅｎｇｉｎｅｅｒｉｎｇ  Ｔａｓｋ  Ｆｏｒｃｅ）により技術仕様公開されているＲＦＣ４１２２記載のＵＵＩＤ（Ｕｎｉｖｅｒｓａｌｌｙ  Ｕｎｉｑｕｅ  ＩＤｅｎｔｉｆｉｅｒ）によるｕｕｉｄ要素の値（７４５ｆｃ４８１−７８ｄ４−８ａ４５−５６３２−ｆ２ａ８７５ａｆａｄ６９）である。このグループ識別子は、グループ毎に唯一無二であればよく、例えば、他にメーカ名、製品名、シリアル番号、日付、時刻を用いて生成した識別子を使用することもできる。この場合、メーカ名が“ＳｏｍｅＣｏｍｐａｎｙ”、製品名が“ＳｏｍｅＰｒｏｄｕｃｔ”、シリアル番号“０１２３４５６７８９”、日時が２００６年１月１日０時０分０秒の場合の識別子として、“ＳｏｍｅＣｏｍｐａｎｙ−ＳｏｍｅＰｒｏｄｕｃｔ−０１２３４５６７８９−２００６０１０１００００”を用いることができる。
【００２５】
また、上記ステップＳ１４で作成されるグループ名は、図４（Ａ）の例では、ｔｉｔｌｅ要素の値（Ｓａｎ  Ｆｒａｎｃｉｓｃｏ）として記述される。これは、このグループを示すグループタイトル（キーワード、又はカテゴリ名）であり、ユーザが、グループ名を作成した時に、操作部２０を操作して入力した文字列である。尚、電子カメラ１０が、このような文字列の入力手段を備えていない場合には、上述のデータ処理プログラムにより、例えば、「ＧＲＯＵＰ１」、「ＧＲＯＵＰ２」というように、グループ名を「固定文字＋数字」と自動作成されるようにしても良い。この場合、グループが作成されるごとに「数字」を増加させる。
【００２６】
図４（Ａ）に示されているグループ管理データに記述されているｃｏｎｔｅｎｔＬｉｓｔ要素の値が記述される個所は、空白である。これは、ｃｏｎｔｅｎｔＬｉｓｔ要素の値には、グループに分類された画像の情報が記述されるが、図４（Ａ）のグループ管理データには、まだ画像が分類されていないためである。
【００２７】
上記のようにしてグループ管理データが作成されたならば、そのグループ管理データに、指定された画像の情報が追記される（ステップＳ２０）。なお、上述のステップＳ１２でＮＯに分岐した場合は、ユーザは、新規にグループを作成しなくても既存のグループに画像を分類することを所望しており、この場合は、ユーザ指定の既存のグループに対応するグループ管理データに、分類された画像の情報を追記する。
【００２８】
例えば、画像Ｐ１０１０００１．ＪＰＧ、Ｐ１０１０００２．ＪＰＧをこの“Ｓａｎ  Ｆｒａｎｃｉｓｃｏ”グループに分類した場合には、対応するグループ管理データ（ＧＲＰ０００１．ＸＭＬ）は、図４（Ｂ）に示すようになる。この場合、図４（Ａ）に示されているグループ管理データに画像情報を追記したグループ管理データの記述内容であるため、図４（Ｂ）に記述されているｕｕｉｄ要素の値とｔｉｔｌｅ要素の値とは、図４（Ａ）に記述されているそれぞれ対応する要素と同一の値を有している。
【００２９】
図４（Ｂ）のｃｏｎｔｅｎｔＬｉｓｔ要素の値は、グループに分類された画像情報のリストである。ｃｏｎｔｅｎｔＬｉｓｔ要素の子要素ｉｍａｇｅは、このグループに分類されている画像の情報である。ｉｍａｇｅ要素のｉｄ属性は、このグループに分類されている識別する画像識別子であり、ｃｏｎｔｅｎｔＬｉｓｔ要素内でユニークな値である。ｉｍａｇｅ要素の子要素ｕｒｌの値（．．／ＤＣＩＭ／１００ＡＢＣＤＥ／Ｐ１０１０００１．ＪＰＧ等）は、記録位置を示している。また、画像情報として、記録媒体２６内の記録位置だけではなく、撮影日時、撮影場所等も記録してもよい。本実施形態では、ｃｏｎｔｅｎｔＬｉｓｔ要素の子要素は、ｉｍａｇｅ（画像）だけであるが、ｖｉｄｅｏ（動画）、ａｕｄｉｏ（音楽、楽曲）などを用いて、画像以外の子要素の情報を記述することもできる。
【００３０】
上述の実施形態では、ユーザが電子カメラ１０に指示することによりグループ作成を行なっているが、以下のように、電子カメラ１０が自動的にグループ作成を行い、更に、撮影動作ごとに自動的に撮影画像をグループへ分類する実施形態も考えられる。
【００３１】
この実施形態では、電子カメラ１０内に内蔵されている機能により電子カメラ１０に様々な情報が提供される。例えば、図示されていないが内蔵時計を備えていれば日時情報、ＧＰＳ機能を備えていれば位置情報（緯度、経度、標高）などである。これらの情報は、電子カメラ１０に刻一刻と更新されて提供される。本実施形態では、これらの情報が一定の範囲を越えて更新された場合、新規にグループ作成を行なう。これは、図２に示されているフローで電子カメラ１０が、提供される情報に基づいて、自動的にステップＳ１２、Ｓ１４、Ｓ１６、及びＳ１８を行なうことに相当する。
【００３２】
上に例として挙げた日時情報の場合、例えば、２００６年５月から、２００６年６月へと月情報が更新された時に、新規グループ「２００６年６月」を作成し、それ以降、次に月情報が更新されるまで撮影された画像をこのグループに分類することが考えられる。この結果、自動的に月ごとの画像のグループ化が可能となる。もちろん、どのように日時情報を画像等の分類に使用するかなどの設定は、ユーザが電子カメラ１０に対して指示を行なって決定することであり、ここに記載されている例に限定されない。
【００３３】
また、上に例として挙げた位置情報の場合、例えば、東京都内を示す位置情報から、神奈川県内を示す位置情報へ、異なる都道府県を示す位置情報が更新された時に、（もし、まだグループ「神奈川」が作成されていないならば）新規グループ「神奈川」を作成する。それ以降、次に他の都道府県を示す位置情報に更新されるまで、撮影された画像をこのグループに分類することが考えられる。この結果、撮影場所ごとの（この例では、都道府県ごとの）画像のグループ化が可能となる。もちろん、どのように位置情報を画像等の分類に使用するかなどの設定は、ユーザが電子カメラ１０に対して指示を行なって決定することであり、ここに記載されている例に限定されない。
【００３４】
また、他の情報として、電子カメラ１０がユーザ情報（例として撮影者名、環境設定等が挙げられる）を持っていて、かつこの電子カメラ１０を使用するユーザが替わる度にユーザ情報を切替えることが可能な場合、ユーザ情報を切り替わった時に、（もし、対応するグループが作成されていないならば）新規グループを作成し、それ以降ユーザ情報が切り替わるまで撮影された画像をこのグループに分類することが考えられる。この結果、ユーザごとのグループ化が可能となる。もちろん、どのように上記のユーザ情報を画像等の分類に使用するかなどの設定は、ユーザが電子カメラ１０に対して指示を行なって決定することであり、ここに記載されている例に限定されない。
【００３５】
さらに、記録媒体２６に記録される全ての画像等を１つのグループとして扱うことにより、銀塩カメラのフィルムに対応する単位でのグループ化が可能となる。この場合の新規グループの作成の条件は、記録媒体２６にグループ管理データが存在しない場合や、記録媒体２６のフォーマット後などである。この場合のグループ化もユーザが電子カメラ１０に対して指示を行なって決定することであり、逆に、記録媒体２６にグループ管理データが存在しない場合や、記録媒体２６のフォーマット後も、上述されたようなグループ識別子に対応付けた新規グループを作成することにより、これまでと同一のグループに画像等を分類することが可能である。
【００３６】
[第２実施形態]
図５は、本発明の第２実施形態に係るデータ蓄積装置２８を、上述のデータ処理装置としての電子カメラ１０と接続させた構成を概略的に示すブロック図である。このデータ蓄積装置２８は、データ記録媒体インタフェース３０、通信インタフェース３２、ＣＰＵ３４、操作部３６、表示部３８、及びフラッシュメモリ４０を有している。
【００３７】
ＣＰＵ３４は、フラッシュメモリ４０に記録されている詳細は後述するようなデータ蓄積プログラムを含む制御プログラムを読み出し実行することにより、データ蓄積装置２８の各部の動作を制御する。電子カメラ１０との間で授受される撮影画像等のデータは、通信インタフェース３２を介して、データ記録媒体インタフェース３０に接続されるデータ記録媒体４２に記録される。データ記録媒体４２として、データ蓄積装置２８に着脱自在に接続可能なフラッシュメモリ、ＣＤ−Ｒ、ＣＤ−ＲＷ、又はＤＶＤや、データ蓄積装置２８に固定されているハードディスクなどが用いられる。操作部３６は、データ蓄積装置２８の動作に関する指示を入力するための、キーボート、マウス、又はスイッチなどを備えている。表示部３８は、データ記録媒体インタフェース３０を介しデータ記録媒体４２から読み出された画像データ、又はユーザインタフェース画面等を表示する。
【００３８】
このデータ蓄積装置２８の好ましい形態は、パーソナルコンピュータである。しかし、パーソナルコンピュータのような豊富な操作部３６や表示部３８を有していないデータ蓄積装置２８であっても、電子カメラ１０との間でデータの授受を行なうための通信インタフェース３２、授受したデータをデータ記録媒体４２に記録するためのデータ記録媒体インタフェース３０、及びデータ蓄積装置２８の各部の動作を統括的に制御するＣＰＵ３４で構成されていれば、データ記録に特化したポータブルストレージであってもよい。
【００３９】
次に、本発明の第２実施形態に係るデータ蓄積装置２８の動作をデータ記録方法と合わせて、図５を用いて説明する。電子カメラ１０を図５に示されているように、通信回線４４によりデータ蓄積装置２８に接続すると、本実施形態のデータ蓄積装置２８は、電子カメラ１０が接続されたことを検出し、フラッシュメモリ４０に記録されている制御プログラム（以下、データ蓄積プログラムと称する）を開始する。しかし、もちろん、データ蓄積プログラムが電子カメラ１０が接続されたことを自動検出せずに、データ蓄積プログラムの開始をユーザが操作部３６を用いて指示する実施形態も考えられる。  
また、通信回線４４は、ＵＳＢやＩＥＥＥ１３９４等の有線通信回線の他、無線ＬＡＮ等の無線通信回線、あるいはインターネット等のネットワーク通信回線でもよい。
【００４０】
データ蓄積プログラムは、電子カメラ１０を検出後に自動的に、又は、ユーザが操作部３６を操作し開始指示することにより、電子カメラ１０の記録媒体２６に記録されている画像等のデータをデータ蓄積装置２８のデータ蓄積媒体４２に記録する。
【００４１】
図６は、電子カメラ１０と接続されているデータ蓄積装置２８のＣＰＵ３４で実行されるデータ蓄積プログラムのフローチャートを示す図である。
【００４２】
まず、フローを開始して、電子カメラ１０の記録媒体２６にグループ管理データが記録されているか否かを判定する（ステップＳ３０）。グループ管理データが記録されていると判定されると（ステップＳ３０でＹＥＳに分岐）、このグループ管理データからグループ識別子を取得し（ステップＳ３２）、このグループ識別子に対応付けられたグループが、データ蓄積装置２８のデータ記録媒体４２に既に記録されているか否かを判定する（ステップＳ３４）。このグループ識別子に対応付けられたグループが記録されていないと判定すると（ステップＳ３４でＮＯに分岐）、データ蓄積装置２８のデータ記録媒体４２に新規にグループ管理データを作成し、このグループ識別子を対応付ける（具体的には、新規に作成されたグループ管理データの中に上記取得したグループ識別子を記述する）（ステップＳ３６）。続いて、このグループ識別子が対応付けられているグループ管理データに、記録する画像の情報を追記する（ステップＳ３８）。
【００４３】
ステップＳ３４でＹＥＳに分岐する場合は、このグループ識別子に関連付けられたグループ管理データが既に存在しているので、ステップＳ３６を実行せずに、ステップＳ３８を実行する。
【００４４】
次に、電子カメラ１０の記録媒体２６に記録されている上記グループに対応する画像データをデータ蓄積装置２８のデータ記録媒体４２に記録する（ステップＳ４０）。上述のステップＳ３０で電子カメラ１０の記録媒体２６にグループ管理データが記録されていない場合（ステップＳ３０でＮＯに分岐する場合）は、上述のようにデータ蓄積装置２８のデータ記録媒体４２にグループ管理データを作成せずにこのステップＳ４０に進んで、電子カメラ１０の記録媒体２６に記録されている画像データをデータ蓄積装置２８のデータ記録媒体４２に記録する。
【００４５】
次に、電子カメラ１０の記録媒体２６に記録されている全てのグループに対して画像データをデータ蓄積装置２８のデータ記録媒体４２に記録することが終了したかどうかを判定する（ステップＳ４２）。もし、このステップＳ４２をＹＥＳに分岐する場合、データ蓄積装置の一連の動作は終了する。しかし、まだ電子カメラ１０の記録媒体２６に記録されている全てのグループについて画像データを記録していない場合（ステップＳ４２をＮＯに分岐）には、電子カメラ１０の記録媒体２６に記録されているグループを変えて（ステップＳ４４）、ステップＳ３２に戻り、上述の処理を他のグループに対して繰り返す。このように、電子カメラ１０の記録媒体２６に記録されている全てのグループに対して画像データをデータ蓄積装置２８のデータ記録媒体４２に記録し終わると、データ処理装置２８は、処理を終了する。  
このように、データ蓄積装置２８は、グループ識別子をもとにグループを特定しているので、例えば、複数の異なるデータ処理装置でグループ名が重複して使用されている場合でも、それらを別のグループとして管理することができる。また、ユーザがグループ名を編集してしまった場合でもグループを特定することができる。
【００４６】
以下では、図６のフローチャートを用いて説明したデータ蓄積装置２８の動作を例を挙げて説明する。
【００４７】
図７は、電子カメラ１０の記録媒体２６に記録されているデータ記録構造を示している。このデータ記録構造は、上述のようにＤＣＦに準拠して記録されている。図８（Ａ）、（Ｂ）は、図７のデータ記録構造の中に示されているグループ管理データ（ＧＲＰ０００１．ＸＭＬ、ＧＲＰ０００２．ＸＭＬ）の記述内容を示している。図９は、データ蓄積プログラムを動作させる前の、データ蓄積装置２８のデータ記録媒体４２に記録されているデータ記録構造を示している。このデータ記録構造では、ＩＭＡＧＥフォルダ以下のフォルダ（“０６０６１０１５０１３０”）には、画像データが記録され、ＧＲＯＵＰ＿ＤＡＴフォルダには、グループ管理データが記録されている。しかし、もちろん本発明の範囲内で他のディレクトリ構造も考えられる。また、図１０は、図９に示されているデータ記録構造の中のグループ管理データ（ＧＲＰ０００１．ＸＭＬ）の記述内容を示している。このように、本実施例では、データ蓄積装置２８のデータ記録媒体４２に記録されるグループ管理データもＸＭＬで記述されている。しかし、ＸＭＬに限定されず他の言語を用いて記述されていてもよい。
【００４８】
この場合、データ蓄積装置２８は、電子カメラ１０の記録媒体２６に記録されているデータ記録構造を検索して、グループ管理データ（ＧＲＰ０００１．ＸＭＬ、ＧＲＰ０００２．ＸＭＬ）が記録されていると判定する（ステップＳ３０に対応）。次に、ＧＲＰ０００１．ＸＭＬからグループ識別子（ｕｕｉｄ要素：７４５ｆｃ４８１−７８ｄ４−８ａ４５−５６３２−ｆ２ａ８７５ａｆａｄ６９）を取得する（ステップＳ３２に対応）。この取得されたグループ識別子に対応付けられたグループが、データ蓄積装置２８のデータ記録媒体４２に記録されているかどうかを判定する（ステップＳ３４に対応）。この例では、図９及び１０に示されているように、データ蓄積装置２８のデータ記録媒体４２に記録されているグループ管理データ（ＧＲＰ０００１．ＸＭＬ）のグループ識別子（ｕｕｉｄ要素：７４５ｆｃ４８１−７８ｄ４−８ａ４５−５６３２−ｆ２ａ８７５ａｆａｄ６９）と、上述の取得されたグループ識別子とが一致しているため、このグループ識別子に対応付けられたグループが既にデータ蓄積装置２８のデータ記録媒体４２に記録されていると判定する（ステップＳ３４でＹＥＳに分岐することに対応）。データ蓄積装置２８のデータ記録媒体４２のこのグループ管理データ（ＧＲＰ０００１．ＸＭＬ）に記録する画像の情報を追記する（ステップＳ３８に対応）。図１０に示されているように、画像データＰ１０１０００１．ＪＰＧの画像情報は、既にデータ蓄積装置２８のデータ記録媒体４２のこのグループ管理データ（ＧＲＰ０００１．ＸＭＬ）に記録されているため、追記される画像情報は、Ｐ１０１０００２．ＪＰＧの画像情報である。続いて、画像データを記録するためのフォルダである“０６０６１２１０４５００”フォルダをＩＭＡＧＥフォルダの下に作成する。ＩＭＡＧＥフォルダの下のフォルダは、データ蓄積装置２８によるデータ記録が行なわれるごとに、例えば現在日時を用いる等により、ＩＭＡＧＥフォルダ内で重複しないフォルダ名を持つように作成される。そして、画像データＰ１０１０００２．ＪＰＧをデータ蓄積装置２８のデータ記録媒体４２の“０６０６１２１０４５００”フォルダに記録する（ステップＳ４０に対応）。Ｐ１０１０００１．ＪＰＧは、既に記録されているため重複して画像データの記録を行なわない。
【００４９】
グループ管理データ（ＧＲＰ０００１．ＸＭＬ）に関するデータ記録が終了すると、データ蓄積装置は、全てのグループに対して画像データを記録したかどうか判定する（ステップＳ４２に対応）。この場合、電子カメラ１０の記録媒体２６には、もう１つのグループ管理データ（ＧＲＰ０００２．ＸＭＬ）が記録されているため、データ蓄積装置２８は、対象とするグループを変えて（ステップＳ４４に対応）、処理を繰り返す。
【００５０】
データ蓄積装置２８は、ＧＲＰ０００２．ＸＭＬを解析し、グループ識別子（ｕｕｉｄ要素：ａａ６３９８ｅｆ−２６４７−ｂ４６７−１２８ａ−７７１９ｂａ０７ｆ４１６）を取得する（ステップＳ３２に対応）。取得されたこのグループ識別子に対応付けられたグループが、データ蓄積装置２８のデータ記録媒体４２に記録されているかどうか判定する（ステップＳ３４に対応）。しかし、このグループ識別子と一致するグループ識別子を有するグループ管理データが、データ蓄積装置２８のデータ記録媒体４２に記録されていないと判定する（ステップＳ３４をＮＯに分岐）。データ蓄積装置２８のデータ記録媒体４２に新規のグループ管理データ（ＧＲＰ０００２．ＸＭＬ）を作成し、上記取得したグループ識別子（ｕｕｉｄ要素：ａａ６３９８ｅｆ−２６４７−ｂ４６７−１２８ａ−７７１９ｂａ０７ｆ４１６）を対応付ける（具体的には、ＧＲＰ０００２．ＸＭＬの中にこのグループ識別子を記述する）（ステップＳ３６に対応）。次に、このグループ管理データ（ＧＲＰ０００２．ＸＭＬ）に、データ蓄積装置２８のデータ記録媒体４２に記録する画像の画像情報を追記する（ステップＳ３８に対応）。追記される画像情報は、Ｐ１０１０００１．ＪＰＧ、及びＰ１０１０００３．ＪＰＧの画像情報である。図１２（Ｂ）は、この追記が終了した時点で、データ蓄積装置２８のデータ記録媒体４２に記録されているグループ管理データ（ＧＲＰ０００２．ＸＭＬ）の記述内容を示している。続いて、画像データ（Ｐ１０１０００３．ＪＰＧ）をデータ蓄積装置２８のデータ記録媒体４２のＩＭＡＧＥフォルダの下の“０６０６１２１０４５００”フォルダの中に記録する（ステップＳ４０に対応）。図１１は、このようなデータ記録が終了した時の、データ蓄積装置２８のデータ記録媒体４２のデータ記録構造である。
【００５１】
なお、こうしてデータ蓄積装置２８によりデータ記録媒体４２に蓄積された画像データ等のコンテンツデータを、上記第１実施形態と同様の手法により、データ蓄積装置２８側で分類できることは言うまでもない。
【００５２】
また、上記ステップＳ４２では、全てのグループに対して処理したか否かを判別するようにしているが、必ずしも全てのグループのコンテンツデータをデータ蓄積装置２８に蓄積する必要はなく、ユーザ指定のグループのみ選択的に蓄積できるようにしても良い。
【００５３】
以上、実施形態に基づいて、本発明を説明したが、本発明は上述した実施形態に限定されるものではなく、本発明の要旨の範囲内で種々の変形や応用が可能なことは勿論である。
【００５４】
例えば、グループ識別子の作成・記録やグループ識別子に基づく分類処理以外の処理については、ユーザが手動操作で行うようにしても構わない。
【００５５】
また、データ蓄積装置２８は、記録媒体の読み取り機構を持つことで、電子カメラ１０から取り外された記録媒体２６から直接、コンテンツデータの分類蓄積を行えることは勿論である。
【００５６】
また、上記実施形態の機能を実現するソフトウェアのプログラム（特に、上述した「データ処理プログラム」と「データ蓄積プログラム」とが挙げられるが、これらに限定されない）をコンピュータに供給し、当該コンピュータがこのプログラムを実行することによって、上記機能を実現することが可能である。
【００５７】
（付記）
前記の具体的実施形態から、以下のような構成の発明を抽出することができる。
【００５８】
（１）  複数のコンテンツデータを１つのグループとして管理することが可能なデータ処理装置において、
上記グループにｉｄを付与するｉｄ付与手段と、
少なくとも、上記コンテンツデータと上記グループとの対応情報、及び上記ｉｄを含むグループ管理データを作成するグループ管理データ作成手段と、
を具備することを特徴とするデータ処理装置。
【００５９】
（対応する実施形態）
この（１）に記載のデータ処理装置に関する実施形態は、第１実施形態が対応する。この実施形態において、電子カメラ１０が上記データ処理装置に、ＣＰＵ１６が上記ｉｄ付与手段に、ＣＰＵ１６が上記グループ管理データ作成手段に、それぞれ対応する。
【００６０】
（作用効果）
この（１）に記載のデータ処理装置によれば、グループ化されたコンテンツデータを容易に管理できる。
【００６１】
（２）  上記ｉｄは、上記グループのグループ名とは別に作成される唯一無二の識別データを含むことを特徴とする（１）に記載のデータ処理装置。
【００６２】
（対応する実施形態）
この（２）に記載のデータ処理装置に関する実施形態は、第１実施形態が対応する。グループ識別子が上記識別データに対応する。
【００６３】
（作用効果）
この（２）に記載のデータ処理装置によれば、グループ管理データに含まれているｉｄは、唯一無二の識別データを含む結果、複数の異なるグループの間でｉｄに重複がないように選ばれているので、このｉｄによりグループを完全に特定することができる。
【００６４】
（３）  複数のコンテンツデータを１つのグループとして管理することが可能なデータ処理装置から上記グループ単位でコンテンツデータを取得し蓄積することが可能なデータ蓄積装置において、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定結果によって上記データ処理装置からグループの取得及び上記格納手段への格納を制御する制御手段と、
を具備することを特徴とするデータ蓄積装置。
【００６５】
（対応する実施形態）
この（３）に記載のデータ蓄積装置に関する実施形態は、第２実施形態が対応する。この実施形態において、データ蓄積装置２８が上記データ蓄積装置に、データ記録媒体４２が上記格納手段に、ＣＰＵ３４が上記ｉｄ取得手段に、ＣＰＵ３４が上記判定手段に、ＣＰＵ３４が制御手段に、それぞれ対応する。
【００６６】
（作用効果）
この（３）に記載のデータ蓄積装置によれば、グループ化されたコンテンツデータを容易に管理できる。グループに使用されているキーワードやカテゴリ名が同一であるかどうかを考慮することなく、コンテンツデータのグループ化を行なうことができる。データ処理装置から取得しようとするグループのコンテンツデータを実際に取得する前に、ｉｄ取得手段によりグループのｉｄを取得し、この取得されたｉｄと格納手段により格納されているグループのｉｄとを比較してデータ処理装置から取得しようとするグループと同一のグループが格納手段に既に格納されているかどうかを判定するので、例えば、複数の異なるデータ処理装置で、グループ名が重複して使用されている場合でも、それらを別のグループとして管理することができる。
【００６７】
（４）  上記制御手段は、上記判定手段により上記取得しようとするグループと同一のグループが上記格納手段に格納されていると判定された場合には、上記格納手段に格納されているグループの更新処理を行なうように制御することを特徴とする（３）に記載のデータ蓄積装置。
【００６８】
（対応する実施形態）
この（４）に記載のデータ蓄積装置に関する実施形態は、第２実施形態が対応する。この実施形態において、ステップＳ３８が上記格納手段に格納されているグループの更新処理を行なうように制御することに、対応する。
【００６９】
（作用効果）
この（４）に記載のデータ蓄積装置によれば、取得しようとするグループと同一のグループが格納手段に格納されていると判定された場合には、グループの更新処理を行なうので、同一のグループに対して新規にグループを作成して格納することがない。
【００７０】
（５）  上記制御手段は、上記判定手段により上記取得しようとするグループと同一のグループが上記格納手段に格納されていると判定された場合には、上記グループに含まれるコンテンツデータのうち、上記格納手段に格納されていないコンテンツデータのみ上記データ処理装置から取得して上記格納手段に追加格納するとともに、上記格納手段に格納されている上記グループを管理しているグループ管理データに上記追加格納されたコンテンツデータの情報を反映させるように制御することを特徴とする（４）に記載のデータ蓄積装置。
【００７１】
（対応する実施形態）
この（５）に記載のデータ蓄積装置に関する実施形態は、第２実施形態が対応する。この実施形態において、ステップＳ４０が上記グループに含まれるコンテンツデータのうち、上記格納手段に格納されていないコンテンツデータのみ上記データ処理装置から取得して上記格納手段に追加格納することに、ステップＳ３８が上記格納手段に格納されている上記グループを管理しているグループ管理データに上記追加格納されたコンテンツデータの情報を反映させることに、それぞれ対応する。
【００７２】
（作用効果）
この（５）に記載のデータ蓄積装置によれば、データ蓄積装置の格納手段に格納されていないコンテンツデータのみを格納するので、特に、グループ内に含まれるコンテンツデータの数が多い時は、データの格納を効率的に行なうことができる。
【００７３】
（６）  上記制御手段は、上記判定手段により上記取得しようとするグループと同一のグループが上記格納手段に格納されていないと判定された場合には、新規のグループとして上記データ処理装置から上記グループを取得し、上記格納手段に格納するように制御することを特徴とする（３）に記載のデータ蓄積装置。
【００７４】
（対応する実施形態）
この（６）に記載のデータ蓄積装置に関する実施形態は、第２実施形態が対応する。この実施形態において、ステップＳ３６が上記新規のグループとしてデータ処理装置からグループを取得し、格納手段に格納するように制御することに、対応する。
【００７５】
（作用効果）
この（６）に記載のデータ蓄積装置によれば、同一のグループが格納手段に格納されていないと判定された時に、グループを新規に格納手段に格納するので、グループの新規追加が容易にできる。
【００７６】
（７）  複数のコンテンツデータを１つのグループとして管理することが可能なデータ処理装置と、上記データ処理装置から上記グループ単位でコンテンツデータを取得し蓄積することが可能なデータ蓄積装置とを含むデータ処理システムにおいて、
上記データ処理装置は、
上記コンテンツデータと上記グループとの対応情報を含む管理データを作成するグループ管理データ作成手段と、
上記グループにｉｄを付与するｉｄ付与手段とを有し、
上記データ蓄積手段は、
データを格納する格納手段と、
上記データ処理装置から取得しようとするグループのｉｄを取得するｉｄ取得手段と、
上記ｉｄ取得手段で取得されたｉｄと上記格納手段に格納されているグループのｉｄとを比較して、上記データ処理装置から取得しようとするグループと同一のグループが上記格納手段に格納されているか否かを判定する判定手段と、
上記判定手段の判定によって上記データ処理装置からのグループの取得及び上記格納手段への格納を制御する制御手段と、
を有することを特徴とするデータ処理システム。
【００７７】
（対応する実施形態）
この（７）に記載のデータ処理システムに関する実施形態は、第２実施形態が対応する。この実施形態において、電子カメラ１０が上記データ処理装置に、データ蓄積装置２８が上記データ蓄積装置に、ＣＰＵ１６が上記グループ管理データ作成手段に、ＣＰＵ１６が上記ｉｄ付与手段に、データ記録媒体４２が上記格納手段に、ＣＰＵ３４が上記ｉｄ取得手段に、ＣＰＵ３４が上記判定手段に、ＣＰＵ３４が上記制御手段に、それぞれ対応する。
【００７８】
（作用効果）
この（７）に記載のデータ処理システムによれば、複数のコンテンツデータをグループとして管理することが容易である。
【００７９】
（８）  コンピュータに、複数のコンテンツデータを１つのグループとして管理させることが可能なデータ処理プログラムにおいて、
上記データ処理プログラムは、コンピュータに、
上記グループごとにｉｄを生成させ、
少なくとも、上記コンテンツデータと上記グループとの対応情報、及び上記ｉｄを含むグループ管理データを作成させることを特徴とするデータ処理プログラム。
【００８０】
（対応する実施形態）
この（８）に記載のデータ処理プログラムに関する実施形態は、第１実施形態が対応する。この実施形態において、ステップＳ１４が上記グループごとにｉｄを生成させることに、ステップＳ１６、Ｓ２０が上記少なくとも、コンテンツデータとグループとの対応情報、及びｉｄを含むグループ管理データを作成させることに、それぞれ対応する。
【００８１】
（作用効果）
この（８）に記載のデータ処理システムによれば、複数のコンテンツデータをグループとして管理することが容易である。
【００８２】
（９）  コンピュータに、複数のコンテンツデータを１つのグループとして管理することが可能なデータ処理装置から上記グループ単位でコンテンツデータを取得させ、蓄積させることが可能なデータ蓄積プログラムにおいて、
上記データ蓄積プログラムは、コンピュータに、
上記データ処理装置から取得しようとするグループのｉｄを取得させ、
上記ｉｄと上記コンピュータが管理する格納手段に格納されているグループのｉｄとを比較して、上記データ処理装置から取得しようとするグループと同一のグループが上記格納手段に格納されているか否かを判定させ、
上記判定によって上記データ処理装置からのグループの取得及び上記格納手段への格納を制御させることを特徴とするデータ蓄積プログラム。
【００８３】
（対応する実施形態）
この（９）に記載のデータ蓄積プログラムに関する実施形態は、第２実施形態が対応する。この実施形態において、ステップＳ３２が上記データ処理装置から取得しようとするグループのｉｄを取得させることに、ステップＳ３４が上記ｉｄとコンピュータが管理する格納手段に格納されているグループのｉｄとを比較して、データ処理装置から取得しようとするグループと同一のグループが格納手段に格納されているか否かを判定させることに、ステップＳ３６、Ｓ３８、及びＳ４０が上記判定によって上記データ処理装置からのグループの取得及び上記格納手段への格納を制御させることに、それぞれ対応する。
【００８４】
（作用効果）
この（９）に記載のデータ蓄積プログラムによれば、グループ化されたコンテンツデータを容易に管理できる。グループに使用されているキーワードやカテゴリ名が同一であるかどうかを考慮することなく、コンテンツデータのグループ化を行なうことができる。
【図面の簡単な説明】
【００８５】
【図１】図１は、本発明の第１実施形態に係るデータ処理装置としての電子カメラの概略的なブロック構成図である。
【図２】図２は、第１実施形態における電子カメラで実行されるデータ処理プログラムのフローチャートを示す図である。
【図３】図３（Ａ）は、第１実施形態における電子カメラの記録媒体のグループ管理データが作成されていないデータ記録構造を示す図であり、図３（Ｂ）は、第１実施形態における電子カメラの記録媒体のグループ管理データが作成されているデータ記録構造を示す図である。
【図４】図４（Ａ）は、第１実施形態における電子カメラの記録媒体の画像情報が記述されていないグループ管理データの記述内容の例を示す図であり、図４（Ｂ）は、第１実施形態における電子カメラの記録媒体の画像情報が追記されているグループ管理データの記述内容の例を示す図である。
【図５】図５は、本発明の第１実施形態に係るデータ処理装置としての電子カメラに接続されている、本発明の第２実施形態に係るデータ蓄積装置の概略的なブロック構成図である。
【図６】図６は、第２実施形態におけるデータ処理装置で実行されるデータ蓄積プログラムのフローチャートを示す図である。
【図７】図７は、電子カメラの記憶媒体に記録されているデータ記録構造を示す図である。
【図８】図８（Ａ）は、図７に示されているグループ管理データ（ＧＲＰ０００１．ＸＭＬ）の記述内容の例を示す図であり、図８（Ｂ）は、図７に示されているグループ管理データ（ＧＲＰ０００２．ＸＭＬ）の記述内容の例を示す図である。
【図９】図９は、第２実施形態に係るデータ蓄積装置を動作させる前の、このデータ蓄積装置のデータ記録媒体のデータ記録構造を示す図である。
【図１０】図１０は、図９に示されているグループ管理データ（ＧＲＰ０００１．ＸＭＬ）の記述内容の例を示す図である。
【図１１】図１１は、第２実施形態に係るデータ蓄積装置を動作させた後の、このデータ蓄積装置のデータ記録媒体のデータ記録構造を示す図である。
【図１２】図１２（Ａ）は、図１１に示されているグループ管理データ（ＧＲＰ０００１．ＸＭＬ）の記述内容の例を示す図であり、図１２（Ｂ）は、図１１に示されているグループ管理データ（ＧＲＰ０００２．ＸＭＬ）の記述内容の例を示す図である。
【符号の説明】
【００８６】
１０…電子カメラ、  １２…撮像部、  １４…記録媒体インタフェース、  １６…ＣＰＵ、  １８…通信インタフェース、  ２０…操作部、  ２２…表示部、  ２４…フラッシュメモリ、  ２６…記録媒体、  ２８…データ蓄積装置、  ３０…データ記録媒体インタフェース、  ３２…通信インタフェース、  ３４…ＣＰＵ、  ３６…操作部、  ３８…表示部、  ４０…フラッシュメモリ、  ４２…データ記録媒体、  ４４…通信回線。
【図１】
2008108214.tif 000003
【図２】
2008108214.tif 000004
【図３】
2008108214.tif 000005
【図４】
2008108214.tif 000006
【図５】
2008108214.tif 000007
【図６】
2008108214.tif 000008
【図７】
2008108214.tif 000009
【図８】
2008108214.tif 000010
【図９】
2008108214.tif 000011
【図１０】
2008108214.tif 000012
【図１１】
2008108214.tif 000013
【図１２】
2008108214.tif 000014